(57)【要約】  【課題】ティッシュケースをホルダーに取り付けるのに、ティッシュケース自体に何らの加工も必要とせず、また、ホルダーは予め壁などに固定しておく必要がなく、更に、ホルダー自体が装飾的効果を持っているティッシュケースホルダーを明らかにする。    【解決手段】ティッシュペーパーが積層状態に収納されているティッシュケースを保持するホルダーにおいて、  ホルダーの全体が実在又は架空のキャラクターに形成されており、  該キャラクターホルダーには、弾性を有する部材で形成されたアームと、このアームの先端に配設されており、前記ティッシュケースに係合されるフックとで形成されるティッシュケース保持手段が備えられており、  更に、該キャラクターホルダーの上面部分には、吊下げ紐或いはフックなどで形成される吊下げ手段を有することを特徴とするティッシュケースホルダーである。【選択図】      図１
2005124700.tif 000002
【特許請求の範囲】
【請求項１】
ティッシュペーパーが積層状態に収納されているティッシュケースを保持するホルダーにおいて、
ホルダーの全体が実在又は架空のキャラクターに形成されており、
該キャラクターホルダーには、弾性を有する部材で形成されたアームと、このアームの先端に配設されており、前記ティッシュケースに係合されるフックとで形成されるティッシュケース保持手段が備えられており、
更に、該キャラクターホルダーの上面部分には、吊下げ紐或いはフックなどで形成される吊下げ手段を有することを特徴とするティッシュケースホルダー。
【請求項２】
請求項１に記載のティッシュケースホルダーにおいて、前記アームは、先端で向かい合うフックが互いに離間する方向に付勢されており、両フックがティッシュケースの外面に備えられている解体用切欠部に係合されて、アームの付勢力により、互いに離間する方向に付勢されることによりティッシュケースを保持する構成であることを特徴とするティッシュケースホルダー。
【請求項３】
請求項１に記載のティッシュケースホルダーにおいて、前記アームは、先端で向かい合うフックが互いに近接する方向に付勢されており、両フックがティッシュケースの側面の折畳み部分の間隙に係合されて、アームの付勢力により、互いに近接する方向に付勢されることによりティッシュケースを保持する構成であることを特徴とするティッシュケースホルダー。
【請求項４】
キャラクターホルダーが動物の縫ぐるみであり、キャラクターホルダーの前肢間又は後肢間の内側にアームが内装されている構成であることを特徴とする請求項１〜３のいずれかに記載のティッシュケースホルダー。
【請求項５】
アームとフックとが別体で形成されており、両者を結合することによりティッシュケース保持手段が構成されることを特徴とする請求項１〜４のいずれかに記載のティッシュケースホルダー。
【請求項６】
請求項１、２又は３に記載のティッシュケースホルダーにおいて、前記アームとフックとが別体で形成されており、両者を結合することによりティッシュケース保持手段が構成されており、該フックには、ティッシュケースの任意の位置に突き刺し可能な鋭利な部分が用意されていることを特徴とするティッシュケースホルダー。
【発明の詳細な説明】
【技術分野】
【０００１】
本発明は、市販のティッシュケース（ティッシュペーパーが収納されている紙製などの箱）を保持させるホルダーに関する。
【背景技術】
【０００２】
特許文献１には、ティッシュケースをホルダーに取り付けるに際して、予めティッシュケースの両端部に形成されている解体用切欠部を利用する構成が開示されている。このティッシュケースホルダーは、壁面等に取り付けられる基材に、鉤先部の長さが異なる一対のフックを設け、長い鉤先部の裏面を先端へかけて基材側へ傾斜させると共に、短い鉤先部の裏面を基端へかけて基材側へ傾斜させ、ティッシュケースの両端の解体用切欠部に各フックの鉤先部を順次差し込み、ティッシュケースを短い鉤先部の基端側へスライドさせ、鉤先部の傾斜により、ティッシュケースが基材に密着して保持されるようにした構成である。ティッシュケースホルダーを構成する基材は、予め壁面等に取り付けられているものであり、自由な位置・場所で利用できる構成ではない。
【０００３】
特許文献２には、ティッシュケースの天地を逆にした状態で、吊り下げタイプの人形のスカート内に吊るす構成とし、スカートの下方からティッシュペーパーを１枚毎に取り出せるようにした箱入りティッシュペーパー吊下具が開示されている。ティッシュケースと人形との結合は、人形の胴部下端に設けたフックに、ティッシュケースの両側端間に取り付けた紐などを引っ掛ける構成である。
【特許文献１】特開２００３−１１２７８７号
【特許文献２】実開平３−４５８６号
【発明の開示】
【発明が解決しようとする課題】
【０００４】
市販のティッシュペーパーは、ポケット用のものを除いて、紙製などの箱（ティッシュケース）に収納されており、上面側にミシン目に沿って切り取り可能な取出口（切欠部）が用意されている。
【０００５】
上記構成の市販のティッシュケースを壁や柱などに吊り下げ可能とするために各種のホルダーが提案されているが、ホルダーに取り付けるために、ティッシュケース側に何らかの加工を必要とする構成であったり、ホルダーが利便性のみを目的とした比較的複雑な構成であったり、或いはホルダーを予め壁などに取り付けておく必要があるものであったり、更には全く装飾的要素に欠ける構成であったり、などの点に不満がある。
【０００６】
前記特許文献１に記載のティッシュケースホルダーは、予めティッシュケースの両端面部に形成されている解体用切欠部を利用する点において上記した不満の１部を解消するものであるが、ホルダーを構成する基材を予め壁面等に取り付けておく必要があり、自由な位置・場所で利用できる構成ではない点に不満がある。
【０００７】
前記特許文献２に記載のティッシュペーパー吊下具は、吊り下げタイプの人形のスカート内に吊るす構成である点で、装飾的な配慮が見られるが、ティッシュケースを人形に組み込むのに際して、ティッシュケースの両側端間に紐などを取り付けなければならない点に不満がある。
【０００８】
本発明は、上記に鑑み、ティッシュケースをホルダーに取り付けるのに、ティッシュケース自体に何らの加工も必要とせず、また、ホルダーは予め壁などに固定しておく必要がなく、更に、ホルダー自体が装飾的効果を持っているティッシュケースホルダーを明らかにすることを課題とする。
【課題を解決するための手段】
【０００９】
上記課題を解決する本発明は、下記構成を有する。
１．ティッシュペーパーが積層状態に収納されているティッシュケースを保持するホルダーにおいて、
ホルダーの全体が実在又は架空のキャラクターに形成されており、
該キャラクターホルダーには、弾性を有する部材で形成されたアームと、このアームの先端に配設されており、前記ティッシュケースに係合されるフックとで形成されるティッシュケース保持手段が備えられており、
更に、該キャラクターホルダーの上面部分には、吊下げ紐或いはフックなどで形成される吊下げ手段を有することを特徴とするティッシュケースホルダー。
【００１０】
２．前記１に記載のティッシュケースホルダーにおいて、前記アームは、先端で向かい合うフックが互いに離間する方向に付勢されており、両フックがティッシュケースの外面に備えられている解体用切欠部に係合されて、アームの付勢力により、互いに離間する方向に付勢されることによりティッシュケースを保持する構成であることを特徴とするティッシュケースホルダー。
【００１１】
３．前記１に記載のティッシュケースホルダーにおいて、前記アームは、先端で向かい合うフックが互いに近接する方向に付勢されており、両フックがティッシュケースの側面の折畳み部分の間隙に係合されて、アームの付勢力により、互いに近接する方向に付勢されることによりティッシュケースを保持する構成であることを特徴とするティッシュケースホルダー。
【００１２】
４．キャラクターホルダーが動物の縫ぐるみであり、キャラクターホルダーの前肢間又は後肢間の内側にアームが内装されている構成であることを特徴とする前記１〜３のいずれかに記載のティッシュケースホルダー。
【００１３】
５．アームとフックとが別体で形成されており、両者を結合することによりティッシュケース保持手段が構成されることを特徴とする前記１〜４のいずれかに記載のティッシュケースホルダー。
【００１４】
６．前記１、２又は３に記載のティッシュケースホルダーにおいて、前記アームとフックとが別体で形成されており、両者を結合することによりティッシュケース保持手段が構成されており、該フックには、ティッシュケースの任意の位置に突き刺し可能な鋭利な部分が用意されていることを特徴とするティッシュケースホルダー。
【発明の効果】
【００１５】
本発明においては、市販品のティッシュケースが備えている解体用切欠部や折畳み部分の間隙などの構造を利用し、該構造以外に何らの加工もすることもなくホルダーに取り付けが可能であり、また、ホルダーは壁や柱などの自由な位置に取り付けが可能であり、しかもホルダー自体が持つ装飾的効果を期待することができるので、頭記した課題が解決できる。
【発明を実施するための最良の形態】
【００１６】
図面に従って、本発明の実施例を詳細に説明する。
図１において、１０はホルダーであり、図示の実施例では動物キャラクターの縫ぐるみで構成されており、本体部分１１には、アーム１２とフック１３で形成されるティッシュケース保持手段と、ホルダー１０を任意の壁或いは柱などに吊り下げるための吊下げ手段１４が備えられている。
【００１７】
実在或いは架空のキャラクターとしては、熊・猫・犬・猿・大熊猫などの実在の動物、これらをアレンジした架空のキャラクター、映画やＴＶのアニメーション或いは漫画などに由来する各種のキャラクターであって、フィギュアと呼ばれる範疇のものを包含する。これらのキャラクターは、後述するティッシュケース保持手段を配設する部分を備えている構成であることが好ましい。
【００１８】
キャラクターの種類によっては、本体部分１１は頭部と胴部に分かれることがあり、また、脚部を含むことがある。脚部は単なるアーム状の突起である態様も含む。図１に示した構成で説明すると、本体部分１１は、頭部１１Ａと胴部１１Ｂとから成り、また、本体部分１１から突出した形で前肢部分（前脚に同じ、以下同様）１１Ｃと後肢部分（後脚に同じ、以下同様）１１Ｄとが形成されており、全体としては、熊のキャラクターの縫ぐるみである。
【００１９】
図１に示した実施例では、アーム１２が前肢１１Ｃの内側に内装されているが、キャラクターの種類によっては、アーム１２が表面に剥き出しの状態であってもよい。このような態様では、アーム１２それ自体が何らかの表面形状・色彩で装飾的加工が施されていることが好ましい。
【００２０】
アーム１２は弾性を有する部材（プラスチック・金属など）で形成され、その先端に配設されているフック１３を矢符Ａ方向又はＢ方向に付勢して、ティッシュケース２０それ自体が備えている構造、例えば、解体用切欠部（ミシン目等に沿って取り除いて形成される）２２若しくは側面の間隙部分２３に係合させて、ティッシュケース２０を保持する。
【００２１】
図１に示す実施例では、アーム１２は、例えば熊の前肢１１Ｃの芯材として構成され、矢符Ａ方向に弾性を有する素材、例えば鋼鉄製或いは合成樹脂材又は両者の複合材などが用いられており、また、先端部にはフック１３が形成されている。
【００２２】
尚、アーム１２は、後述するように、全体として単一の部材である構成と、複数の部材で形成される構成の２つの態様がある。
【００２３】
図１に示した態様では、熊のキャラクタの縫ぐるみでホルダー１０が構成されており、その１対の前肢部分１１Ｃは、弾性を有する芯材によりアーム１２が構成され、矢符Ａ方向に付勢されている。従って、アーム１２先端のフック１３の部分を、市販のティッシュケース２０の端面に形成されている解体用切欠部２２（ミシン目に沿って切り取ることで孔が形成される）に差し込めば、アーム１２は矢符Ａ方向に付勢されているので、１対の前肢１１Ｃは開方向に開こうとするので、フック１３はティッシュケース２０の解体用切欠部２２に確固に係合し、ティッシュケース２０は、１対の前肢部分１１Ｃにより吊下げ保持された状態となる。
【００２４】
上記のようにティッシュケース２０をホルダー１０に保持させた状態で、頭部１１Ａに用意されている吊下げ紐１４により、フックないし突起が存在する任意の位置に吊下げることが可能となる。
【００２５】
尚、吊下げ紐１４に代えて、フックとする構成でもよいし、また、図１に仮想線で示すように、吊下げ紐１４にフック１５を用意しておく構成とすることもできる。勿論、フック１５に吊下げ紐１４を用意しておく構成でもよいし、更には吊下げ紐１４とフック１５とを独立して用意しておく構成でもよい。
【００２６】
一方、市販のティッシュケース２０には、その端部の折畳み部分に間隙２３があり、ホルダー１０のフック１３を差し込める構造となっている。従って、フック１３を図１に示した実施例とは逆の向きに配設し、また、アーム１２の付勢力の方向を矢符Ｂ方向とする構成とすれば、間隙２３に対して矢符Ｃ方向からフック１３を差し込むことで、ホルダー１０はティッシュケース２０を吊下げ保持することが可能となる。
【００２７】
上記した２つ構成は、前肢部分１１Ｃにアーム１２とフック１３を配設するのに代えて、後肢部分１１Ｄの側に配設する構成とすることができる。
【００２８】
図２〜図５に従って、アーム１２とフック１３で形成されるティッシュケース保持手段を詳細に説明する。
【００２９】
図２は、図１に示したティッシュケース保持手段の内の１つであり、彎曲したアーム１２の両端部にフック１３が形成される態様である。この態様では、アーム１２とフック１３とは単一部材で形成され、アーム１２は、断面方形或いは円形の弾力性を有する例えば鋼製のバネ・合成樹脂製彎曲体などで形成され、矢符Ａ方向に付勢力を持っている。フック１３は、単にアーム１２の端部を折り曲げただけの構成でもよいし、先端を鋭利な状態で形成する構成であってもよい。
【００３０】
アーム１２は、その全長が、キャラクターの主要部分で構成されるホルダー本体部分１１（胴部１１Ｂ、前肢部分１１Ｃ又は後肢部分１１Ｄ）に内装される構成であっても、中央部の長さＬ部分を除いた部分がキャラクターに内装される構成であってもよい。
【００３１】
図３は、フック１３の方向と、付勢力の方向が矢符Ｂであることを除いて、図２に示した構成と同一である。
【００３２】
以上の実施例において、アーム１２は、フック１３に付勢力を付与するための構造であるから、単体である必要はなく、例えば、図２、３において、符号Ｌで示した長さ部分をカットして、彎曲した或いは真直ぐな１対のアームとし、その基端（フック１３がない側）をキャラクターホルダーの胴部１１Ｂに固定して、フック１３の部分に付勢力が働くように構成すれば、フック１２を単一部材としなければならないとする制約から解放される。
【００３３】
図４に示すように、アーム１２とフック１３とを別体に形成する構成とすることができる。この態様では、例えば、アーム１２を形成するのに弾性を有する鋼材を利用し、フック１３の部分をプレスチックス製とすることができる。この態様の利点は、フック１３の外形形状に大きな自由度が与えられることであり、例えば、図４に示すように、フック１３に様々な形状の係合部１３Ａと、アーム１２への連結構造１３Ｂを用意することができる。この態様の別な利点は、１対のフック１３は同一部材でよいことであり、例えば、アーム１２の端部を連結構造１３Ｂの穴に挿入すれば、矢符方向へ回動することで、どのような方向にも働くフックとすることが可能である。
【００３４】
図５には、フック１３の別な態様が示されている。図５のＡ図に示すフック１３には、鋭利なスパイク１３Ｃが、Ｂ図に示すフック１３には、先端側が鋭利な状態に形成されている扁平な舌片１３Ｄが備えられている。このような態様のフック１３は、取り付けようとするティッシュケース２０が、図１に示した解体用切欠部２２や間隙２３を持たない構造である場合に、スパイク１３Ｃや舌片１３Ｄをティッシュケース２０の外面に突き刺してアーム１２の先端を固定するもので、ティッシュケース２０が容易に脱落しない構造とすることができる。
【００３５】
尚、図５のＡ図に示した構成のフック１３は、図１においてアーム１２が矢符Ｂ方向に付勢される態様の場合に利用することができ、また、図５のＢ図に示した構成のフック１３は、図１においてアーム１２の付勢方向が矢符Ａ方向と矢符Ｂ方向のどちらの場合にも利用することができる。
【図面の簡単な説明】
【００３６】
【図１】本発明の実施例を示す概略斜視図
【図２】ティッシュケース保持手段の第１例を示す平面図
【図３】ティッシュケース保持手段の第２例を示す平面図
【図４】ティッシュケース保持手段の第３例を示す斜視図
【図５】フックの他の実施例を示す斜視図
【符号の説明】
【００３７】
１０−ホルダー
１１−本体部分
１１Ａ−頭部
１１Ｂ−胴部
１１Ｃ−前肢部分
１１Ｄ−後肢部分
１２−アーム
１３−フック
１３Ａ−係合部
１３Ｂ−連結構造
１３Ｃ−スパイク
１３Ｄ−舌片
１４−吊下げ紐
１５−フック
２０−ティッシュケース
２１−取り出し用穴
２２−解体用切欠部（ミシン目）
２３−側面折畳み部分の間隙
【図１】
2005124700.tif 000003
【図２】
2005124700.tif 000004
【図３】
2005124700.tif 000005
【図４】
2005124700.tif 000006
【図５】
2005124700.tif 000007